(57)【要約】【課題】原画像に表示制限を加えて、原画像が不特定の人物、あるいは撮影者及び被撮影者以外の第三者の目に触れないようにする撮影装置及びプログラムを提供する。【解決手段】被写体を撮像して原画像を得る撮像手段１０と、前記原画像に特定の処理を施して処理画像を得る画像処理手段１１と、前記原画像と前記処理画像とを対応付けて記録部に記録させる画像記録手段１７と、表示手段１２と、前記記録部に前記処理画像と対応付けて記録された原画像に対して、前記表示手段への表示制限を行う制限手段１６とを備える。【選択図】図１
2010068129.tif 000002
【特許請求の範囲】
【請求項１】
被写体を撮像して原画像を得る撮像手段と、
前記原画像に特定の処理を施して処理画像を得る画像処理手段と、
前記原画像と前記処理画像とを対応付けて記録部に記録させる画像記録手段と、
表示手段と、
前記記録部に前記処理画像と対応付けて記録された原画像に対して、前記表示手段への表示制限を行う制限手段と
を備えること特徴とする撮影装置。
【請求項２】
前記画像記録手段は、前記原画像にこの原画像に対する処理画像があることを示す情報を付加して前記記録部に記録し、
前記制限手段は、前記画像記録手段によって処理画像があることを示す情報が付加された原画像に対して表示制限を行うことを特徴とする請求項１に記載の撮影装置。
【請求項３】
前記記録部には特定フォルダが設定されるとともに、前記画像記録手段は前記原画像を前記特定フォルダに記録し、
前記制限手段は、前記特定フォルダ内の画像に対し表示制限を行うことで、前記原画像に対して表示制限を行うことを特徴とする請求項１に記載の撮影装置。
【請求項４】
前記撮像手段によって原画像を得ている期間、この得られた原画像に換えて前記画像処理手段によって得られたこの原画像に対する処理画像を前記表示手段に表示するよう制御する第１の表示制御手段を更に備えることを特徴とする請求項１ないし３のいずれか１項に記載の撮影装置。
【請求項５】
前記制限手段による表示制限の解除を指示する指示手段を更に備え、
前記制限手段は、前記指示手段によって指示されると、前記表示制限した原画像の表示制限を解除することを特徴とする請求項１ないし請求項４のいずれか１項に記載の撮影装置。
【請求項６】
前記制限手段は、前記指示手段による指示がされている間は、前記表示制限した原画像の表示制限を解除することを特徴とする請求項５に記載の撮影装置。
【請求項７】
前記指示手段は使用者が入力する使用者情報と予め登録された使用者情報を照合して、両者が一致した場合に、前記記録部に記録されている前記原画像の表示制限の解除を指示することを特徴とする請求項５に記載の撮影装置。
【請求項８】
前記表示制限が解除された原画像を表示する際に、当該原画像に対応する前記処理画像を並列に表示させるよう前記表示手段を制御する第２の表示制御手段を更に備えることを特徴とする請求項５ないし請求項７のいずれか１項に記載の撮影装置。
【請求項９】
前記処理画像を表示する際に、前記処理画像と関連付けられて記録されている原画像がある場合は、当該処理画像に対応する原画像が前記画像記録手段に記録されている旨を当該処理画像と共に前記表示手段に表示するよう制御する第３の表示制御手段を更に備えることを特徴とする請求項１ないし８のいずれか１項に記載の撮影装置。
【請求項１０】
前記特定の処理とは、前記原画像における被写体を補正するための補正処理であることを特徴とする請求項１ないし請求項９のいずれか１項に記載の撮影装置。
【請求項１１】
記録部と表示部を備える撮像装置が有するコンピュータを、
被写体を撮像して得られた原画像に特定の処理を施して処理画像を得る画像処理手段、
前記原画像及び前記処理画像を対応付けて記録部に記録させる画像記録手段、
前記記録部に前記処理画像と対応付けて記録された原画像に対して、前記表示部への表示制限を行う制限手段
として機能させること特徴とするプログラム。
【発明の詳細な説明】
【技術分野】
【０００１】
本発明は、原画像に所定の処理を施して処理画像を生成する撮影装置、及びこの撮影装置を制御するプログラムに関する。
【背景技術】
【０００２】
原画像に所定の処理を施して処理画像を生成する撮影装置が知られている。例えば、特許文献１には、原画像にホワイトバランス調整処理を行う電子カメラにおいて、原画像とホワイトバランス調整処理後の画像のいずれか一方を選んで、記録することが提案されている。また、特許文献２には、人物の画像から、皺、染み、そばかす、ニキビ、傷痕、やけど等を除去する処理（以下、本明細書では、これらを総称して「美顔処理」と呼ぶことにする）を施す画像処理方法が開示されている。
【０００３】
【特許文献１】特開２００３−３０９８５５号公報
【特許文献２】特開平１１−３４１２７９号公報
【発明の開示】
【発明が解決しようとする課題】
【０００４】
特許文献１に開示された電子カメラでは、原画像を記録する場合がある。また、特許文献２に開示された美顔処理を行う画像処理装置では、原画像と美顔処理後の画像を同時に、あるいは交互に表示して、美顔処理の効果を確認する場合がある。
【０００５】
このような場合に、原画像が誰でも自由に閲覧できるとすると、被撮影者（被写体）の心情を著しく傷つける危険がある。例えば、加齢による容貌の変化に敏感な人物（美顔処理の需要者の多くは、このような人物である）が、皺、染み等が忠実に再現された自身の画像を目の当たりにすれば、当然に気分を害する。また、このような画像が、不特定の人物に閲覧されるとすれば、被撮影者は羞恥を感じることがある。よって、処理画像だけを記録し、原画像を削除する方法が考えられるが、画像を記録した後に美顔処理の効果を確認するには、処理画像と共に原画像も記録する必要性がある。
【０００６】
そのため、原画像に所定の処理を施して処理画像を生成する撮影装置、特に、美顔処理を施す撮影装置においては、原画像に表示制限を加えて、原画像が不特定の人物、あるいは被撮影者自身の目に触れないようにすることが求められている。
【０００７】
本発明は、このような背景に鑑みてなされたものであり、原画像に表示制限を加えて、原画像が不特定の人物、あるいは撮影者及び被撮影者以外の第三者の目に触れないようにする撮影装置及びプログラムを提供するものである。
【課題を解決するための手段】
【０００８】
請求項１に記載の発明に係る撮影装置は、被写体を撮像して原画像を得る撮像手段と、前記原画像に特定の処理を施して処理画像を得る画像処理手段と、前記原画像と前記処理画像とを対応付けて記録部に記録させる画像記録手段と、表示手段と、前記記録部に前記処理画像と対応付けて記録された原画像に対して、前記表示手段への表示制限を行う制限手段とを備えること特徴とする。
【０００９】
また、請求項２に記載の発明に係る撮影装置は、前記画像記録手段は、前記原画像にこの原画像に対する処理画像があることを示す情報を付加して前記記録部に記録し、前記制限手段は、前記画像記録手段によって処理画像があることを示す情報が付加された原画像に対して表示制限を行うことを特徴とする。
【００１０】
また、請求項３に記載の発明に係る撮影装置は、前記記録部には特定フォルダが設定されるとともに、前記画像記録手段は前記原画像を前記特定フォルダに記録し、前記制限手段は、前記特定フォルダ内の画像に対し表示制限を行うことで、前記原画像に対して表示制限を行うことを特徴とする。
【００１１】
また、請求項４に記載の発明に係る撮影装置は、前記撮像手段によって原画像を得ている期間、この得られた原画像に換えて前記画像処理手段によって得られたこの原画像に対する処理画像を前記表示手段に表示するよう制御する第１の表示制御手段を更に備えることを特徴とする。
【００１２】
また、請求項５に記載の発明に係る撮影装置は、前記制限手段による表示制限の解除を指示する指示手段を更に備え、前記制限手段は、前記指示手段によって指示されると、前記表示制限した原画像の表示制限を解除することを特徴とする。
【００１３】
また、請求項６に記載の発明に係る撮影装置は、前記制限手段は、前記指示手段による指示がされている間は、前記表示制限した原画像の表示制限を解除することを特徴とする。
【００１４】
また、請求項７に記載の発明に係る撮影装置は、前記指示手段は使用者が入力する使用者情報と予め登録された使用者情報を照合して、両者が一致した場合に、前記記録部に記録されている前記原画像の表示制限の解除を指示することを特徴とする。
【００１５】
また、請求項８に記載の発明に係る撮影装置は、前記表示制限が解除された原画像を表示する際に、当該原画像に対応する前記処理画像を並列に表示させるよう前記表示手段を制御する第２の表示制御手段を更に備えることを特徴とする。
【００１６】
また、請求項９に記載の発明に係る撮影装置は、前記処理画像を表示する際に、前記処理画像と関連付けられて記録されている原画像がある場合は、当該処理画像に対応する原画像が前記画像記録手段に記録されている旨を当該処理画像と共に前記表示手段に表示するよう制御する第３の表示制御手段を更に備えることを特徴とする。
【００１７】
また、請求項１０に記載の発明に係る撮影装置は、前記特定の処理とは、前記原画像における被写体を補正するための補正処理であることを特徴とする。
【００１８】
また、請求項１１に記載の発明に係るプログラムは、記録部と表示部を備える撮像装置が有するコンピュータを、被写体を撮像して得られた原画像に特定の処理を施して処理画像を得る画像処理手段、前記原画像及び前記処理画像を対応付けて記録部に記録させる画像記録手段、前記記録部に前記処理画像と対応付けて記録された原画像に対して、前記表示部への表示制限を行う制限手段として機能させること特徴とする。
【発明の効果】
【００１９】
本発明によれば、原画像の表示を制限するので、原画像が不特定の人物、あるいは撮影者及び被撮影者以外の第三者の目に触れないようにして、被撮影者の自尊心を保護することができる。
【発明を実施するための最良の形態】
【００２０】
図１は、実施形態に係るデジタルカメラ１の概念的な構成を示す図である。図１に示すように、デジタルカメラ１は、撮像部１０、画像処理部１１、表示部１２、記憶部１３、キー入力部１４、パスワード照合部１５、制御部１６、外部メモリ１７、及び美顔処理部１１０から構成される。
【００２１】
撮像部１０は、レンズ装置、撮像素子等を備え、被写体の画像（以下、原画像と呼ぶ）を取得する装置である。
【００２２】
画像処理部１１は、美顔モードでの撮影に際して、制御部１６の指示に応じ、記憶部１３を作業メモリとして使用し、撮像部１０により撮像された画像に含まれる顔画像領域を検出する顔検出処理を実行する。この顔検出処理は公知の技術であるので、ここでは詳細な説明を省略する。
また、画像処理部１１は美顔処理部１１０を備え、美顔処理部１１０は、美顔モードでの撮影に際して、制御部１６の指示に応じ、記憶部１３を作業用メモリとして使用し、画像処理部１１で検出された原画像における人物の顔画像領域に対して美顔処理を施して、処理画像を作成する装置である。ここで、美顔処理とは、原画像における人物の顔に対し、人物の目の中の充血を軽減するような補正を行う充血軽減処理、肌の血色を改善するよう補正する美肌処理および血色改善処理、黄ばんだ歯を白くする補正を行う歯美白処理、目を大きく開かせるよう補正する開眼処理、ぽっちゃりした頬やえらの張った頬をほっそりとさせる補正を行う頬リフトアップ処理等の複数種の補正内容からなる。
また、美顔処理には、上記の補正処理以外にもフラッシュ発光時の赤目状態を除去するフラッシュ赤目除去処理が含まれている。
尚、充血軽減処理、フラッシュ赤目除去処理、美肌処理、血色改善処理、歯美白処理、開眼処理、および頬リフトアップ処理は、画像処理の技術分野においては公知の技術であるので、ここでは詳細な説明を省略する。
【００２３】
表示部１２は、液晶表示装置を備えて、記憶部１３及び外部メモリ１７から前記処理画像あるいは、前記原画像を撮影者の操作に応じて表示する。
【００２４】
記憶部１３は、画像処理部１１により処理画像を作成する際に使用される作業用メモリであり、原画像及び処理画像を一時記憶する。記憶部１３に一時記憶される原画像及び処理画像は、表示部１２に表示することもできる。
【００２５】
キー入力部１４は、撮影者がデジタルカメラ１に対して各種の操作入力を行うスイッチ群である。また、撮影者による前記操作入力の一部（例えば、前記原画像の表示部１２での表示）は、パスワードによって保護される。つまり、撮影者がパスワードをキー入力部１４から入力して、その入力されたパスワードを、パスワード照合部１５に登録された正規のパスワードと照合して、両者が一致した場合に、操作入力が有効になる。
【００２６】
制御部１６は、デジタルカメラ１全体を制御するコンピュータである。また、以下開示するデジタルカメラ１の各種機能は、制御部１６にインストールされたプログラムによって実現される。
【００２７】
なお、外部メモリ１７は、例えばカメラ本体に着脱自在なメモリカードや、カメラ本体に内蔵されたフラッシュメモリ等により構成され、前記処理画像及び前記原画像は、撮影者の操作に応じて、外部メモリ１７に記録される。また、外部メモリ１７に記録された前記処理画像あるいは前記原画像は、表示部１２に表示することができる。
【００２８】
デジタルカメラ１は、おおよそ、次のように機能する。すなわち、撮影者が被撮影者にデジタルカメラ１を向けると、撮像部１０が毎秒３０〜６０枚の割合で原画像を取得し、取得された原画像は記憶部１３に逐次記憶される。画像処理部１１は記憶部１３に逐次記憶される原画像から前記原画像から人物の顔を検出し、検出した顔に対して逐次美顔処理を施して処理画像を作成し、表示部１２は、前記処理画像を逐次表示する。つまり、表示部１２には、処理画像がほぼリアルタイムで表示され、撮影者は表示部１２に表示された処理画像を確認して、撮影を行う。このように、普段は処理画像だけが表示部１２に表示され、原画像（美顔処理を施す前の画像）は表示されない。したがって、第三者が表示部１２を覗き込んだとしても、処理画像、つまり美しく修正された画像しか見えないので、被撮影者が羞恥を感じることがない。
【００２９】
また、撮影者が原画像を確認したいと考える場合がある。例えば、美顔処理の効果を確認したい場合である。このような場合は、撮影者がキー入力部１４の特定のキーを長押しすると、表示部１２の表示が変更され、原画像とそれに対応する処理画像が並列に表示部１２に表示される。また、前記特定のキーの長押しを解除する（つまり、撮影者が指を前記特定のキーから離す）と、表示部１２の表示は直ちに元に戻り、処理画像だけが表示される。このように構成されているので、撮影者は任意に原画像を確認することができる。また、撮影者が指を前記特定のキーから離すだけで、表示部１２の表示は元に戻るので、例えば、第三者が不用意に表示部１２を覗き込んだ時に、その第三者に原画像を見られることを回避することができる。
【００３０】
また、デジタルカメラ１で撮影された原画像と処理画像とは対応付けて外部メモリ１７に記憶されるが、その記憶された原画像又は処理画像を後で読み出して、表示することがある。このような場合、撮影者がキー入力部１４を操作して外部メモリ１７に処理画像が対応付けられて記憶されている原画像の読み出しと表示を求めると、デジタルカメラ１は撮影者にパスワードの入力を求め、パスワード照合部１５で、撮影者が入力したパスワードとパスワード照合部１５に登録された正規のパスワードとを照合して、両者が一致した場合に、原画像を表示部１２に表示する。このように、外部メモリ１７に記録された原画像は、パスワードによる表示制限が加えられているので、不特定の者が外部メモリ１７に記録された原画像を盗み見することを防ぐことができる。
【００３１】
図２は、制御部１６にインストールされて、デジタルカメラ１による撮影時に実行される撮影プログラムを示すフローチャートである。以下、図２を参照しながら、これら撮影時のデジタルカメラ１の動作を説明する。
【００３２】
撮影者が美顔モードを設定し、被撮影者にデジタルカメラ１を向けると、撮像部１０は原画像を取得する（ステップＳ１００）。原画像は図３に示すような画像であり、被撮影者の容貌を何の加工も加えずに、皺２０や染み２１を含めて「そのまま」撮像した画像である。なお、原画像は毎秒３０〜６０枚の頻度で取得される。
【００３３】
撮像部１０が原画像を取得すると、取得された原画像は記憶部１３に一時記憶され、画像処理部１１は、記憶部１３に記憶された原画像から皺２０や染み２１を除去して、図４に示すような処理画像を作成する。つまり、原画像に美顔処理を施す（ステップＳ１０１）。作成された処理画像は、表示部１２に逐次出力されて、表示される（ステップＳ１０２）。なお、処理画像は原画像と同じ頻度、つまり毎秒３０〜６０枚で作成され、表示部１２に逐次表示される。
【００３４】
さて、撮影者が原画像を確認したい場合がある。このような場合には、撮影者はキー入力部１４の特定のキーを長押しする。前記特定のキーが長押しされると（ステップＳ１０３；Ｙｅｓ）、記憶部１３から表示部１２に処理画像に対応する原画像が送られて、図５に示すように、表示部１２には、処理画像とそれに対応する原画像が並列に表示される（ステップＳ１０４）。つまり、表示部１２の画面左側には、美顔処理を施した旨を示すアイコン２２とともに処理画像を表示し、画面右側には、美顔処理を施していない旨を示すアイコン２３とともに原画像を表示している。例えば、この時、第三者が不用意に表示部１２を覗き込んで、その第三者に原画像を見せたくないと撮影者が考えた場合、撮影者は前記特定のキーから指を離せばよい。特定のキーから指を離せば（ステップＳ１０３；Ｎｏ）、表示部１２の表示は元に戻り、処理画像だけが表示部１２に表示される。
【００３５】
また、撮影者が図示しないシャッターボタンを操作すれば（ステップＳ１０５；Ｙｅｓ）、処理画像とそれに対応する原画像が外部メモリ１７に記録される（ステップＳ１０６）。なお、外部メモリ１７に記録する原画像の所定のデータ領域に、原画像である旨を示す情報と対応する処理画像を示す情報とを記録し、処理画像の所定のデータ領域には対応する原画像を示す情報を記録する。
【００３６】
以上の手順で撮影が行われて、処理画像とそれに対応する原画像が外部メモリ１７に記録されるが、撮影終了後に、これらの処理画像と原画像を外部メモリ１７から読み出して、表示部１２に表示することができる。つまり、処理画像と原画像を表示することができる。
【００３７】
図６は、制御部１６にインストールされて、デジタルカメラ１による撮影後に、処理画像と原画像の表示を行う表示プログラムを示すフローチャートである。以下、図６を参照しながら、デジタルカメラ１の表示動作を説明する。
【００３８】
撮影者がキー入力部１４の所定のキーを操作入力すると、図７に示すように、外部メモリ１７に記録されている処理画像が表示部１２に表示される（ステップＳ２００）。この時、この処理画像の所定のデータ領域に対応する原画像を示す情報が記録されていれば、対応する原画像が記録されている旨を示すアイコン２４が表示部１２に表示される。撮影者は、アイコン２４の表示の有無を確認することによって、原画像の有無を知ることができる。
【００３９】
原画像を表示する場合は、撮影者はキー入力部１４の特定のキーを長押しする。前記特定のキーが長押しされると（ステップＳ２０１；Ｙｅｓ）、制御部１６は、アイコン２５（図８参照）を表示部１２に表示して（ステップＳ２０２）、撮影者にパスワードの入力を促す。撮影者がパスワードをキー入力部１４から入力すると（ステップＳ２０３；Ｙｅｓ）、パスワード照合部１５が、入力されたパスワードと、パスワード照合部１５に登録された正規のパスワードとの照合を行う。そして、両者が一致すると（ステップＳ２０４；Ｙｅｓ）、外部メモリ１７に記録されている原画像の表示制限が解除され、制御部１６は、処理画像に対応する原画像を外部メモリ１７から読み出して、表示部１２に処理画像とそれに対応する原画像を図５に示したように並列に表示する（ステップＳ２０５）。なお、言うまでもないことだが、パスワードが入力されない場合（ステップＳ２０３；Ｎｏ）、パスワードが正しくない場合（ステップＳ２０４；Ｎｏ）は、原画像の表示は拒否される。また、パスワードの照合に伴う表示制限の解除は、外部メモリ１７に記録されている原画像の全てについて表示制限を解除するようにしてもよいし、表示部１２に表示されている処理画像に対応する原画像のみ表示制限を解除するようにしてもよい。
【００４０】
以上のように、デジタルカメラ１は、外部メモリ１７に記録された原画像について、パスワードによる表示制限を加えているので、パスワードを知らない人物は原画像を表示することができない。パスワードを被撮影者に対して秘密にしておけば、被撮影者自身も原画像を表示することができない。つまり、原画像を、被撮影者を含む不特定の人物が表示できないようにできるので、被撮影者の自尊心を保護し、原画像が表示されることによって被撮影者に生じる羞恥心を緩和することができる。
【００４１】
なお、原画像の表示制限は一般に、例えばパスワードのような使用者だけが保持する情報、つまり使用者情報を事前に登録した情報と照合して行うが、使用者情報はパスワードに限られない。例えば、使用者の生体情報、つまり指紋、声紋、虹彩の形状、指の静脈の形状などを使用者情報として使用することができる。あるいは、使用者情報の照合に代えて、機械的、電磁的な鍵を使って表示制限を行うようにしてもよい。
【００４２】
また、本発明では、外部メモリ１７に記録された画像の内、原画像について表示制限を行い、処理画像については表示制限を行わないようにした。そのために、原画像と処理画像を記録する領域を物理的に分けて、一方の領域（つまり原画像が記録された領域）に記録された画像について表示制限を行ってもよいし、原画像と処理画像をソフトウエアによって分割して、つまり原画像と処理画像をそれぞれ別のフォルダあるいはディレクトリに分けて記録して、原画像が属するフォルダあるいはディレクトリに表示制限を加えるようにしてもよい。
【図面の簡単な説明】
【００４３】
【図１】本発明の実施形態を示すデジタルカメラ１の概念的な構成図である。
【図２】撮影プログラムのフローチャートである。
【図３】原画像を示す図である。
【図４】処理画像を示す図である。
【図５】処理画像と原画像を表示画面に表示した図である。
【図６】表示プログラムのフローチャートである。
【図７】記録されている処理画像を表示画面に表示した図である。
【図８】記録されている処理画像を表示画面に表示した図である。
【符号の説明】
【００４４】
１・・・デジタルカメラ、１０・・・撮像部、１１・・・画像処理部、１２・・・表示部、１３・・・記憶部、１４・・・キー入力部、１５・・・パスワード照合部、１６・・・制御部、１７・・・外部メモリ、１１０・・・美顔処理部、２０・・・皺、２１・・・染み、２２・・・アイコン、２３・・・アイコン、２４・・・アイコン、２５・・・アイコン
【図１】
2010068129.tif 000003
【図２】
2010068129.tif 000004
【図３】
2010068129.tif 000005
【図４】
2010068129.tif 000006
【図５】
2010068129.tif 000007
【図６】
2010068129.tif 000008
【図７】
2010068129.tif 000009
【図８】
2010068129.tif 000010